(57)【要約】      （修正有）【課題】  第１のファイルシステムで初期化された記憶媒体のみを扱える電子機器に対してある程度の互換性を維持しつつ、記憶媒体の容量を最大限に活用して情報記録が行えるようにする。【解決手段】  メモリカード９には、通常のデジタルスチルカメラがアクセスするためのＦＡＴ１６のファイルシステムで初期化したパーティションＡと、許容アドレス空間が更に大きなＦＡＴ３２のファイルシステムで初期化したパーティションＢの２つの記憶領域が確保されている。カメラ部２で撮像して得られた本画像はパーティションＢに格納され、その派生情報であるサムネイル画像はパーティションＡに格納することで、このメモリカードを従来のデジタルスチルカメラに装着した場合にも閲覧を可能とする。また、本画像と本画像に対応するサムネイル画像との対応関係を示す情報が管理情報１４としてパーティションＢに格納される。【選択図】  図１
2005352898.tif 000002
【特許請求の範囲】
【請求項１】
第１のファイルシステムでの最大許容量を越える記憶容量を有し、着脱自在で書き換え可能な記憶媒体に情報の記録を行う情報記録装置であって、
前記第１のファイルシステムで初期化された第１の記憶領域、前記第１のファイルシステムの最大許容量を越える領域をアクセス可能な第２のファイルシステムで初期化された第２の記憶領域を有する単一の記憶媒体に、外部入力情報を記憶する際、前記第２の領域には前記外部入力情報を記憶し、前記第１の領域には前記外部入力情報から派生する情報を記憶する第１の情報記録手段と、
前記第２の領域に記憶される情報と前記第１の領域に記憶される派生情報との関係情報を、前記第２の領域に管理情報として記録する管理情報記録手段と
を備えることを特徴とする情報記録装置。
【請求項２】
前記第１のファイルシステムはＦＡＴ１６、第２のファイルシステムはＦＡＴ３２であることを特徴とする請求項１に記載の情報記録装置。
【請求項３】
更に、前記外部入力情報としての画像データを発生する撮像手段を有し、前記第２のファイルシステムには前記画像データを格納し、前記第１のファイルシステムには前記画像データに対応するサムネイル画像を格納することを特徴とする請求項１又は２に記載の情報記録装置。
【請求項４】
更に、前記記憶媒体の前記第２の記憶領域に記憶されている情報に対応する派生情報が前記第１の記憶領域に存在するか否かを判定する判定手段と、
該判定手段にて、前記第２の記憶領域に記憶されている情報に対応する派生情報が前記第１の記憶領域に存在しないと判定された場合、前記派生情報を前記第１の領域内に復元するか、或いは、第２の記憶領域に記憶された該当する情報を削除するかを選択する選択手段と、
該選択手段で前記派生情報を前記第１の領域内に復元することが選択された場合には、第２の記憶領域に記憶された該当する情報から派生情報を生成して前記第１の記憶領域に保存し、前記第１の記憶領域の該当する情報の削除が選択された場合、当該第２の記憶領域中の情報を削除すると共に、前記管理情報を更新して、第１、第２の記憶領域の情報の整合性を維持する整合手段と
を備えることを特徴とする請求項１乃至３のいずれか１項に記載の情報記録装置。
【請求項５】
更に、前記第１の記憶領域に記憶された情報用の再生リストを作成する再生リスト作成手段と、
作成された再生リストを前記第１の記憶領域に格納する再生リスト格納手段と、
該再生リスト格納手段で格納された再生リストに従って、情報を再生する際、前記再生リストに記述された情報を、前記管理情報に従って前記第２の記憶領域に記憶された情報で置換えて再生出力する再生出力手段と
を備えることを請求項１乃至４のいずれか１項に記載の情報記録装置。
【請求項６】
更に、プリンタと接続する接続手段と、
前記第１の記憶領域に記憶された画像用の印刷設定ファイルを作成する印刷設定ファイル作成手段と、
作成された印刷設定ファイルを前記第１の記憶領域に格納する印刷設定ファイル格納手段と、
該印刷設定ファイル格納手段で格納された印刷設定ファイルに従って画像を印刷する際、前記印刷設定ファイルに記述された画像を、前記管理情報に従って前記第２の記憶領域に記憶された画像で置換えて前記接続手段で接続されたプリンタに向けて出力する印刷出力手段と
を備えることを特徴とする請求項４に記載の情報記録装置。
【請求項７】
第１のファイルシステムでの最大許容量を越える記憶容量を有し、着脱自在で書き換え可能な記憶媒体に情報の記録を行う情報記録装置の制御方法であって、
前記第１のファイルシステムで初期化された第１の記憶領域、前記第１のファイルシステムの最大許容量を越える領域をアクセス可能な第２のファイルシステムで初期化された第２の記憶領域を有する単一の記憶媒体に、外部入力情報を記憶する際、前記第２の領域には前記外部入力情報を記憶し、前記第１の領域には前記外部入力情報から派生する情報を記憶する第１の情報記録工程と、
前記第２の領域に記憶される情報と前記第１の領域に記憶される派生情報との関係情報を、前記第２の領域に管理情報として記録する管理情報記録工程と
を備えることを特徴とする情報記録装置の制御方法。
【発明の詳細な説明】
【技術分野】
【０００１】
本発明は、メモリカード等の着脱自在な記憶媒体に情報を記録する技術に関するものである。
【背景技術】
【０００２】
近年のデジタル情報機器、特にデジタルスチルカメラやデジタルビデオカメラなどの画像や音声情報を記録する記録再生装置では、扱う情報の特性上、大容量の記憶媒体を必要とする。デジタルスチルカメラにおいては、撮影画素数が年々飛躍的に増加しており、記録データ量がさらに増加傾向にある。また、ビデオカメラの分野においても、ＳＤフォーマットからＨＤフォーマットへと移行するにあたり、ますます記録データ量が増加傾向にある。
【０００３】
扱うデータ量の増加に伴い、大容量記録メディア（メモリカード）の需要は多くなり、今後も記録メディア自体の容量も増加傾向は続く一方であると予想される。このような状況下、記録メディアの記録領域フォーマット方式に関して、従来の領域ファーマット方式で想定されていた記録容量を超えるメディアが開発されるようになり、新たな領域フォーマットでメディアを初期化する必要が生じるようになってきている。
【０００４】
例えば、デジタルカメラ等で使用されているＣＦカード（Compact Flash Card）は、一般的にＦＡＴ（File Allocation Tables）16（または単にFAT）というファイルシステムでフォーマットされている。ＦＡＴ１６ファイルシステムの仕様では、１クラスタの最大サイズが３２ＫＢと規定され、それを１６ビットアドレスでアクセスするため、３２ＫＢ×２16＝２ＧＢ（ギガバイト）となり、最大２ＧＢまでのメモリ空間をアクセスできる。換言すれば、２ＧＢを越える領域をアクセスすることができない。
【０００５】
しかし、既にメモリカードメーカからは、４ＧＢのマイクロドライブが発売されている。この様な大容量記憶媒体は、従来のＦＡＴ１６では対処できないので、更に拡張したファイルシステム、例えば、ＦＡＴ３２を使用することになる。
【０００６】
ここで問題となるのは、ＦＡＴ１６ファイルシステムでフォーマットされた記憶媒体を扱うことを想定していた従来の電子機器（今現在のデジタルカメラは勿論、記憶媒体を装着して印刷する従来のフォトダイレクトプリンタの殆ど）では、記録媒体を電子的に接続することはできても、ＦＡＴ３２ファイルシステムで格納されたファイルをアクセスできない点である。
【０００７】
このため、１つの記憶媒体にＦＡＴ１６とＦＡＴ３２の２種類のファイルシステムを混在させることが考えられる。このように１つの記憶媒体に新旧の２つのファイルフォーマットで多重記録する技術については、特許文献１が挙げられる。
【特許文献１】特開平８−６３９０１号公報
【発明の開示】
【発明が解決しようとする課題】
【０００８】
特許文献１は、ソフトウェア市場を考慮して、ＣＤ−ＤＡフォーマットの互換性を保ちつつ、より高品質なデータを記録することを主な目的とするものである。つまり、サンプリング周波数が４４．１kHz、量子化ビット数は１６ビットの音声データを、ディスクの内径から外形方向へ同心円状に記録し、残りの領域へ、より高ビットレートもしくは高サンプリングレートの高品質なデータを記録するというものである。
【０００９】
ところで、デジタルスチルカメラ等のデジタル情報機器の書き換え可能な記録メディアの場合は、随時データを変更する可能性がある。そのため、複数の記録領域へデータを多重化して記録する場合は、それぞれの記録データに対する関連情報が無ければ、データの関係に矛盾が生じる恐れがある。
【００１０】
例えば、不要なデータが存在する場合、一方のデータのみを消去したのでは、他方の記録領域に不要なデータが残ってしまう。多重化されたデータは相互関連しているのであるから、バックアップなどの特別な場合を除いては、一方が消去された場合は、他方も消去される方が望ましい。
【００１１】
しかしながら、特許文献１において、それぞれの記録領域に記録されたデータの関連性が明確化されていないため、上記の理由により、一旦記録が完了した後にデータを随時書き換える事は困難である。
【００１２】
本発明はかかる問題点に鑑みなされたものであり、着脱自在で書き換え可能な記憶媒体に、これまでのアクセス可能なファイルシステムと、拡張したファイルシステムの２つの相異なるパーティション領域を有しながらも、下位互換性をほぼ維持することを可能にする技術を提供しようとするものである。
【課題を解決するための手段】
【００１３】
この課題を解決するため、例えば本発明の情報記録装置は以下の構成を備える。すなわち、
第１のファイルシステムでの最大許容量を越える記憶容量を有し、着脱自在で書き換え可能な記憶媒体に情報の記録を行う情報記録装置であって、
前記第１のファイルシステムで初期化された第１の記憶領域、前記第１のファイルシステムの最大許容量を越える領域をアクセス可能な第２のファイルシステムで初期化された第２の記憶領域を有する単一の記憶媒体に、外部入力情報を記憶する際、前記第２の領域には前記外部入力情報を記憶し、前記第１の領域には前記外部入力情報から派生する情報を記憶する第１の情報記録手段と、
前記第２の領域に記憶される情報と前記第１の領域に記憶される派生情報との関係情報を、前記第２の領域に管理情報として記録する管理情報記録手段とを備える。
【発明の効果】
【００１４】
本発明によれば、第１のファイルシステムで初期化された記憶媒体のみを扱える電子機器に対してある程度の互換性を維持しつつ、記憶媒体の容量を最大限に活用して情報記録が行えるようになる。
【発明を実施するための最良の形態】
【００１５】
以下、添付図面に従って本発明に係る実施形態を詳細に説明する。
【００１６】
実施形態においては、情報記録再生装置としてデジタルカメラ、着脱自在な書き換え可能な記憶媒体としてメモリカードに適用した例を説明する。
【００１７】
図１は実施形態におけるデジタルカメラを示したブロック図であり、ＦＡＴ１６は勿論ＦＡＴ３２のファイルシステムをアクセスすることが可能となっている。
【００１８】
デジタルカメラ本体１は、画像撮影のためのカメラ部２、カメラで撮影した信号を所定の電子データへ変換する画像処理部３、記録メディアであるメモリカード９とのインタフェース部であるカードコントローラ４、ユーザが操作するための入力部である操作キー７、ユーザへ操作状況や画像を表示するための表示装置５、システムを制御するためのＣＰＵ６で構成されている。ＣＰＵの制御や、内部のデータのやり取りは、システムバス８にて行われる。また、ＵＳＢコントローラ２０により、ＵＳＢインタフェースを持ち、ＵＳＢプリンタやＰＣ等の機器を接続することが可能である。また、外部出力端子２１を有し、ここに、ＮＴＳＣのコンポジットビデオ出力端子、及び、ＨＤＴＶ等の高解像度表示装置を接続するＤ端子が設けられ、それぞれにケーブルが接続されたことを検出するセンサが設けられている。
【００１９】
メモリカード９は、従来機器でのアクセスが可能なＦＡＴ１６で領域の初期化されたパーティションＡ１０と、拡張したファイルシステムであるＦＡＴ３２で領域の初期化が行われたパーテションＢ１３の２つのファイルシステムが構築されている。なお、パーティションの設定は、本実施形態におけるデジタルカメラでも設定可能である。
【００２０】
実施形態におけるデジタルカメラでは、カメラ部２で撮像した画像データは画像処理部３で圧縮符号化された後、パーティションＢ１３に本画像データファイルとして格納する。一方、サムネイル画像１２は、撮影時、又は、詳細は後述するが、所定のタイミングで本画像を入力ソースとして作成され、パーテションＡへ記録する。パーテションＡ内部には、自動再生設定や自動プリント設定等の自動制御設定ファイルが格納されている自動制御設定ファイル格納フォルダ１１がある。
【００２１】
この自動制御設定ファイルの一例として、ＤＰＯＦ（Digital Print Order Format）が広く知られている。また、パーテションＡに格納されるサムネイル画像データ、及び、パーテションＢへ記録されている本画像の関連を示す情報が管理情報１４については、パーテションＢ内部に記録されている。
【００２２】
図２は、実施形態におけるメモリカード９内部に記録したディレクトリツリー構造を示している。
【００２３】
パーテションＡ１０が第１パーテションとして、ＦＡＴ１６のファイルシステムで領域が確保され初期化され、パーテションＢ１３が第２パーテションとしてＦＡＴ３２のファイルシステムとして領域確保され初期化されている。ＦＡＴ１６のみをアクセス可能な従来機器（従来のデジタルカメラ、従来のフォトダイレクトプリンタ等）がパーテションＡ内部にアクセスするため、パーテションＡはメモリカードの先頭の第１パーテション（アドレスの上位）に割り当てなければならない。
【００２４】
それぞれのパーテションには、画像を保存するためのフォルダ（１０２および２０２）がある。デジタルカメラにおいては、DCF（Design rule for Camera File system）フォーマットに従って記録するのが一般的である。
【００２５】
管理情報の内容は、図８に示すと通り、パーテションＢに記録されたひとつの本画像に対応して、パーテションＡに記録されたサムネイル画像のパスが１対１で定義されており、サムネイル画像から本画像を検索することも、また、本画像からサムネイル画像を検索することも容易にできる仕様とする。ただし、従来機器では、パーティションＢはアクセスできない。
【００２６】
自動制御設定ファイルは、パーテションＡで一括管理する。自動制御設定ファイル格納フォルダの中には、自動プリント設定ファイル１０４、スライドショーのための自動再生設定ファイル等を保存することができる。
【００２７】
以上のように、メモリカードを構成することで、本メモリカードを従来機器へ装着した場合、パーテションＢにはアクセスすることができないが、パーテションＡは従来のフォーマットそのものであるため、本情報信号記録再生装置で撮影したサムネイル画像を従来機器で再生することが可能である。この場合、従来機器では図３に示すツリー構造としてメモリカード内部の情報へアクセスすることができる。図２と比較して、パーティションＢが見えない状態になる。
【００２８】
＜整合性処理＞
上記のように、実施形態におけるデジタルスチルカメラでは、メモリカード９をＦＡＴ１６、ＦＡＴ３２の２つのパーティション領域を確保し、本画像についてはＦＡＴ３２、サムネイル画像についてはＦＡＴ１６に格納する。この結果、従来のＦＡＴ１６のみをサポートしている電子機器（従来のデジタルカメラ等）に、メモリカード９を装着した場合には、少なくともサムネイル画像を表示することが可能となり、閲覧することが可能になる。
【００２９】
また、従来のデジタルスチルカメラにメモリカード９を装着し、新たな撮影を行うと、当然、その本画像、及び、サムネイル画像の両方がＦＡＴ１６に格納される。このメモリカード９を再び実施形態のデジタルスチルカメラに装着した場合には格別な問題は発生しない。
【００３０】
問題になるのは、本実施形態におけるデジタルスチルカメラで撮像し記憶したメモリカード９を従来機器に装着し、所望とする画像を消去したとき、その削除された画像がサムネイル画像であって、それに相当する本画像がＦＡＴ３２のパーティションに残ったままとなる場合である。
【００３１】
本実施形態では、ＦＡＴ３２のパーティションに確保された管理情報において、ＦＡＴ３２に格納されている本画像に対応するサムネイル画像がＦＡＴ１６に格納されていない場合、その整合性を取るようにした。
【００３２】
この処理を図６のフローチャートに従って説明する。尚、この処理は、メモリカードを装着した場合、電源オンする場合に実行するものである。
【００３３】
先ず、ステップＳ１０１においてメモリカードを検出すると、ステップＳ１０２においてＦＡＴ３２に確保された管理情報を解析する。つまり、図８に示すパーティションＢ（ＦＡＴ３２）に格納されている本画像に対応するサムネイル画像がパーティションＡに存在しないものを検索し、もしそのようなケースが存在すれば本画像のファイル名リストをＣＰＵ６の内蔵されたＲＡＭに一時的に格納する。
【００３４】
ステップＳ１０３では、パーティションＢ（ＦＡＴ３２）に格納された全本画像に対応する全サムネイル画像がパーティションＡに格納されているか否かを判断する。
【００３５】
全サムネイル画像が存在すると判断した場合には、整合性がとれていることになるので、本処理を終える。
【００３６】
一方、リストが作成された場合には、その中の１つの本画像に着目し、ステップＳ１０４にて、その本画像からサムネイル画像をＲＡＭに一時的に作成する。そして、作成されたサムネイル画像を表示装置５に表示すると共に、該当する本画像を作成してよいか否かを問い合わせる。ステップＳ１０６にて、利用者の入力を待つことになる。このときの表示例を示すのが、図７である。利用者は、操作キー７を用いて「はい」「いいえ」のいずれかをカーソルキーを操作して選択し、実行キーを押下することになる。
【００３７】
ステップＳ１０７では、消去が選択されたのか否かを判定する。消去が選択された場合には、ステップＳ１０８に進み、該当する本画像をＦＡＴ３２のパーティションＢから削除し、ステップＳ１１０にて、管理情報１４からも該当する画像ファイル名を削除する。
【００３８】
一方、消去しないことを選択した場合、処理はステップＳ１０９に進み、ＲＡＭに作成されたサムネイル画像をＦＡＴ１６のパーティションＡに格納する。
【００３９】
この後、処理はステップＳ１０３に戻り、パーティションＢに本画像があって、パーティションＡにサムネイル画像が存在しないものに対して同様の処理を繰り返していく。
【００４０】
以上説明したように、実施形態におけるデジタルスチルカメラの電源がＯＮになった場合やメモリカードが装着された場合に、上記の整合性処理を行うことで、少なくともパーティションＢに格納されている本画像と、パーティションＡに格納されているサムネイル画像との対応関係を維持することが可能となる。
【００４１】
なお、本実施形態のデジタルスチルカメラにおいて、画像を削除する際には、本画像、サムネイル画像、管理情報の対応する項目の３ついて消去することになる。
【００４２】
＜自動再生設定ファイルの作成＞
次に、実施形態における自動再生設定ファイルの作成処理について説明する。
【００４３】
自動再生とは、メモリカード９に格納された中の所望とする画像を所望とする順序で、尚且つ、個々の画像毎に所望とする時間を設定し、その設定された内容に従って自動的に表示処理を行うものである。この自動再生設定ファイルの作成は、実施形態におけるデジタルスチルカメラに限らず、その機能を有するのであれば従来の装置でも構わない。
【００４４】
図４は、自動再生設定ファイルの作成中の表示装置５の表示例を示している（太枠がカーソルキーで選択された状態を示している）。図示の場合、６つの画像を表示しているが、操作キーを操作することで６個の画像単位に表示することが可能である。また、図示の表示画像は、サムネイル画像を更に縮小したものである。
【００４５】
ユーザが操作キーを行うことで、自動再生設定ファイルの作成モードに入ることができる。操作画面４００には、操作モード４０１、画像（４０２〜４０７）、画像の付帯情報として、画像のファイル名４１０、自動再生マーク４０８、再生シーケンス４０９が表示されている。例えば、画像４０２は、001XXXXXディレクトリのファイル名XXXX0001（XはA〜Zの英文字）、再生順序は２番目、再生時間１秒の設定になっていることを示している。
【００４６】
図９は、操作キー７中の自動再生設定開示指示キーが押下された際のＣＰＵ６の処理手順を示すフローチャートを示している。以下、同図に従って説明する。
【００４７】
先ず、ステップＳ２０１において、第１番目に自動再生しようとする画像を、操作キー７に設けられたカーソルキーを用いて選択し、決定キーを押下することで、決定する。図４の例では画像は６個単位に表示するので、これを越える方向にカーソルキーが押下された場合には、次の６個、或いは、前の６個を表示する。表示する画像は、パーティションＡのサムネイル画像の更に縮小した画像である。
【００４８】
画像の選択が決定すると、ステップＳ２０２に進んで、該当する画像が自動再生対象となったことを明示するため、自動再生マーク４０８を選択画像の近傍に表示する。そして、ステップＳ２０３において、選択画像について再生時間を秒単位に設定する。デフォルトで１秒とするが、カーソルキーの上下キーを操作することで秒単位の増減が可能である。但し、最小時間は１秒とし、それ以下は選択できない。再生時間が目標とする時間になると、決定キーを操作することで、その時間で決定する。この後、続けて画像を選択するか、終了するかを否かを問い合わせるメッセージを表示し、ユーザにより選択結果をステップＳ２０４で判定する。
【００４９】
継続する旨の指示が選択された場合には、ステップＳ２０１に戻り、２番目以降に再生する画像とその表示時間を順に決定していく。
【００５０】
ステップＳ２０４で、終了する旨の指示が選択された場合には、上記処理で設定された再生設定内容を、自動再生設定ファイル１１としてパーティションＡに格納する（図１参照）。
【００５１】
＜自動再生処理＞
図１１は、操作キーを操作して、自動再生開始を指示した際の処理を示すフローチャートである。
【００５２】
なお、外部出力端子２１に外部表示装置が接続されていない場合、再生出力対象は表示装置（液晶表示装置）５とする。また、外部出力端子２１に外部表示装置が接続されていて、それが通常のテレビジョン表示装置である場合には、実施形態の表示装置５と同じ解像度のビデオ信号を出力し、ＨＤＴＶ装置等の高解像度表示装置が接続されている場合には、高解像度の画像を表示する。
【００５３】
先ず、ステップＳ４０１において、出力対象装置が高解像度表示装置であるか否かを判定する。これは、外部出力端子２１のセンサからの信号に基づいて判定する。
【００５４】
高解像度表示装置が接続されている場合には、ステップＳ４０２においてフラグＦＬＡＧに“１”をセットする。また、接続された表示装置が通常のＮＴＳＣ等の低解像度表示装置、或いは、外部表示装置が接続されていない場合には、ステップＳ４０３にてフラグＦＬＡＧに“０”をセットする。
【００５５】
次いで、処理はステップＳ４０４に進み、パーティションＡに格納された自動再生設定ファイルのデータを読込む。このファイルには、１以上の画像のパスつきファイル名とその再生時間情報が、再生順に格納されていることになる。
【００５６】
ステップＳ４０５では、未再生の画像があるか否かを判定することで、再生終了か否かを判断する。未再生画像があると判断した場合には、ステップＳ４０６に進み、フラグＦＬＡＧが“１”であるか否か、すなわち、表示出力装置が高解像度表示可能な装置であるか否かを判断する。
【００５７】
高解像度表示装置が接続されている場合、ステップＳ４０７に進む。自動再生設定ファイルに記述されたファイル名のパスは、パーティションＡのサムネイル画像ファイルであるので、本画像データを検索する。検索対象はパーティションＡ、Ｂの両方である。パーティションＡについても検索する理由は、実施形態のデジタルスチルカメラ或いは他の装置において、メモリカード９にＦＡＴ１６、ＦＡＴ３２の２つのパーティションを作成した後、そのメモリカードを従来のデジタルスチルカメラに装着して撮影した場合、本画像はパーティションＡに格納されるからである。この検索は、従来と同じである。
【００５８】
また、パーティションＢを検索する場合には、管理情報１４を参照して、パーティションＢの本画像ファイルを特定する。
【００５９】
本画像が特定されると、その画像が符号化されている（ＲＡＷデータではない）場合には復号処理を行う。なお、昨今のデジタルスチルカメラの撮像画素数は、６、７百万画素、場合によっては１千万画素にもなり、ＨＤＴＶと言えども、そのままでは画像全体を表示することはできない場合が有り得る。この場合には、間引き処理を行い、ＨＤＴＶの解像度に合わせる。
【００６０】
また、ステップＳ４０６で表示出力対象装置は実施形態における簡易的な表示装置５や通常のテレビジョン装置の場合、サムネイル画像で十分であるので、ステップＳ４０８に進んでサムネイル画像を読み込むことになる。
【００６１】
処理はいずれの場合にも、ステップＳ４０９に進み、設定された時間だけその画像を表示する処理を行う。以上を、未再生画像がある限り、繰り返すことになる。
【００６２】
なお、実施形態におけるデジタルスチルカメラで作成した自動再生設定ファイルを格納したメモリカード９を従来のデジタルスチルカメラにセットして再生する場合、その再生画像は無条件にサムネイル画像の再生となるものの、新旧のデジタルスチルカメラで自動再生設定ファイルを利用することが可能になる。
【００６３】
＜自動プリント設定＞
次に、実施形態における、自動プリント設定ファイルの作成処理を説明する。
【００６４】
図５に自動プリント設定ファイルを作成中の表示装置５の表示例を、図１０に処理手順のフローチャートを示し、以下に説明する。なお、この処理は、操作キー７中に設けられた自動プリント設定ファイルの作成モード指示キーが入力された場合に実行されるものである。
【００６５】
先ず、ステップＳ３０１において、印刷対象の画像を、操作キー７に設けられたカーソルキーを用いて選択し、次いで決定キーを押下することで確定する。図５の例では画像は６個単位に表示するので、これを越える方向にカーソルキーが押下された場合には、次の６個、或いは、前の６個を表示する。表示する画像は、パーティションＡのサムネイル画像の更に縮小した画像である。
【００６６】
画像の選択決定が行われると、ステップＳ３０２に進んで、該当する画像が自動再生対象となったことを明示するため、自動プリントマーク５０８を選択画像の近傍に表示する。そして、ステップＳ３０３において、選択画像について印刷枚数を設定する。デフォルトで１枚とするが、カーソルキーの上下キーを操作することで秒単位の増減が可能である。印刷枚数は最低でも１枚である。枚数は、図示の５０９に示すように数字で、該当する画像の近傍に表示する。目的とする印刷枚数が表示され、決定キーを操作することで、その枚数で決定する。この後、続けて画像を選択するか、終了するかを否かを問い合わせるメッセージを表示し、ユーザにより選択結果をステップＳ３０４で判定する。
【００６７】
継続する旨の指示が選択された場合には、ステップＳ３０１に戻り、次に印刷する画像とその印刷枚数を決定していく。
【００６８】
ステップＳ３０４で、終了する旨の指示が選択された場合には、上記処理で設定された再生設定内容（印刷対象画像を特定する情報と印刷枚数）を、自動プリント設定ファイル１１としてパーティションＡに格納する（図１参照）。
【００６９】
次に、実施形態における自動プリント処理を図１２のフローチャートに従って説明する。この処理は、ＵＳＢコントローラ２０にプリンタ３０が接続されていて、操作キーより自動プリント指示が入力された場合に実行されるものである。
【００７０】
先ず、ステップＳ５０１において、自動プリント設定ファイルを読み込み解析する。
【００７１】
次いで、ステップＳ５０２において、未プリント画像があるか否かを判定し、自動プリント設定ファイルにて指定され全画像について印刷が完了していれば本処理を終える。
【００７２】
一方、未印刷画像があると判定した場合には、ステップＳ５０３に進み、記述されたパス付き画像から、それに該当する本画像ファイルの所在を検索する。検索する対象は、パーティションＡ、Ｂの両方である。パーティションＡについても検索する理由は、実施形態のデジタルスチルカメラ或いは他の装置において、メモリカード９にＦＡＴ１６、ＦＡＴ３２の２つのパーティションを作成した後、そのメモリカードを従来のデジタルスチルカメラに装着して撮影した場合、本画像はパーティションＡに格納されるからである。
【００７３】
本画像の所在が判明すると、ステップＳ５０４にてその本画像を読み込む。そして、ステップＳ５０５にて、設定された枚数分だけ印刷出力処理を行う。この後、処理はステップＳ５０２に戻り、未印刷画像がある限り、上記処理を繰り返すことになる。
【００７４】
上記は、実施形態における自動プリント処理であったが、実施形態におけるデジタルスチルカメラで自動プリント設定ファイルを作成し格納したメモリカードを、従来のデジタルスチルカメラにセットして、自動プリントを行う場合、パーティションＢに格納されている本画像はアクセスできないので、印刷対象はサムネイル画像となる。
【００７５】
以上説明したように、本実施形態によれば、従来のＦＡＴ１６のファイルシステムとＦＡＴ３２のファイルシステムの２つのパーティション領域を有するメモリカード（記憶媒体）を利用しながらも、従来のファイルシステムのみにアクセスする機器との操作環境をある程度維持することが可能になる。
【００７６】
なお、実施形態では、デジタルスチルカメラについて説明したが、印刷処理について着目すると、メモリカードを装着して印刷するプリンタ装置に適用しても構わない。これまでのこの種のプリンタ装置は、ＦＡＴ１６のファイルシステムをサポートするものであったが、実施形態のデジタルスチルカメラと同様、２つのファイルシステムのパーティション領域を有するメモリカードが装着され、その２つのファイルシステムを認識可能なプリンタ装置が、自動プリント設定ファイルに従って印刷する場合には、図１２と同様の処理を行えば良いことになる。
【００７７】
なお、上記実施形態では、ファイルシステムとしてＦＡＴ１６、ＦＡＴ３２を例にして説明したが、ファイルシステムには、これ以外にも何種類も存在するので、これによって本願発明が限定されるものではない。
【図面の簡単な説明】
【００７８】
【図１】実施形態におけるデジタルスチルカメラのブロック構成図である。
【図２】実施形態におけるメモリカードのファイルシステムとデータツリー構造を示す図である。
【図３】実施形態における記録メディアを、従来機器に装着した場合に認識されるデータツリーの構造を示す図である。
【図４】実施形態における自動再生設定ファイルの作成中の表示例を示す図である。
【図５】実施形態における自動プリント設定ファイルの作成中の表示例を示す図である。
【図６】実施形態におけるデジタルスチルカメラの起動時、及び、メモリカード装着時の処理手順を示すフローチャートである。
【図７】実施形態における整合処理時における表示例を示す図である。
【図８】実施形態における管理情報のデータフォーマットを示す図である。
【図９】実施形態における自動再生設定ファイルの作成処理手順を示すフローチャートである。
【図１０】実施形態における自動プリント設定ファイルの作成処理手順を示すフローチャートである。
【図１１】実施形態における自動再生処理手順を示すフローチャートである。
【図１２】実施形態における自動プリント処理手順を示すフローチャートである。
【図１】
2005352898.tif 000003
【図２】
2005352898.tif 000004
【図３】
2005352898.tif 000005
【図４】
2005352898.tif 000006
【図５】
2005352898.tif 000007
【図６】
2005352898.tif 000008
【図７】
2005352898.tif 000009
【図８】
2005352898.tif 000010
【図９】
2005352898.tif 000011
【図１０】
2005352898.tif 000012
【図１１】
2005352898.tif 000013
【図１２】
2005352898.tif 000014